(57)【要約】  本発明の一実施例に係るディスプレイユニット製造システムは、偏光フィルムと、粘着層と、粘着層に剥離可能に粘着された離型フィルムとが積層された光学フィルムを予め定められた搬送長さだけ繰り返し搬送および停止させる搬送ユニット、光学フィルムを予め定められた切断位置で離型フィルムは残して幅方向に沿って切断して、光学フィルム上にスリットラインを形成する切断ユニット、離型フィルムを偏光フィルムから剥離する剥離ユニット、および離型フィルムが剥離された偏光フィルムをパネルに付着する付着ユニットを含み、搬送ユニットは、切断位置から搬送方向の下流側に離隔して配置され、光学フィルムを水平に搬送する水平ロールを含み、水平ロールは、光学フィルムの搬送停止時にスリットラインが水平ロール上に位置しないように次の条件式を満たすことができる。  ＜条件式１＞  Ｉ＊ｎ＜Ｈ＜Ｉ＊（ｎ＋１）  ここで、Ｉは予め定められた搬送長さを示し、ｎは０以上の整数であり、Ｈは水平ロールの回転中心と切断位置との間の水平方向距離を示す。
2019532327.tif 000002
【特許請求の範囲】
【請求項１】
偏光フィルムと、粘着層と、前記粘着層に剥離可能に粘着された離型フィルムとが積層された光学フィルムを予め定められた搬送長さだけ繰り返し搬送および停止させる搬送ユニット、
前記光学フィルムを予め定められた切断位置で前記離型フィルムは残して幅方向に沿って切断して、前記光学フィルム上にスリットラインを形成する切断ユニット、
前記離型フィルムを前記偏光フィルムから剥離する剥離ユニット、および
前記離型フィルムが剥離された前記偏光フィルムをパネルに付着する付着ユニットを含み、
前記搬送ユニットは、前記切断位置から前記搬送方向の下流側に離隔して配置され、前記光学フィルムを水平に搬送する水平ロールを含み、
前記水平ロールは、前記光学フィルムの搬送停止時に前記スリットラインが前記水平ロール上に位置しないように次の条件式を満たす、ディスプレイユニット製造システム：
＜条件式１＞
Ｉ＊ｎ＜Ｈ＜Ｉ＊（ｎ＋１）
ここで、Ｉは前記予め定められた搬送長さを示し、ｎは０以上の整数であり、Ｈは前記水平ロールの回転中心と前記切断位置との間の水平方向距離を示す。
【請求項２】
前記水平ロールは次の条件式を満たす、請求項１に記載のディスプレイユニット製造システム：
＜条件式２＞
Ｉ＊（ｎ＋０．３）≦Ｈ≦Ｉ＊（ｎ＋０．７）
ここで、Ｉは前記予め定められた搬送長さを示し、ｎは０以上の整数であり、Ｈは前記水平ロールの回転中心と前記切断位置との間の水平方向距離を示す。
【請求項３】
偏光フィルムと、粘着層と、前記粘着層に剥離可能に粘着された離型フィルムとが積層された光学フィルムを予め定められた搬送長さだけ繰り返し搬送および停止させる搬送ユニット、
前記光学フィルムを予め定められた切断位置で前記離型フィルムは残して幅方向に沿って切断して、前記光学フィルム上にスリットラインを形成する切断ユニット、
前記偏光フィルムを前記離型フィルムから剥離する剥離ユニット、および
前記離型フィルムから剥離された前記偏光フィルムをパネルに付着する付着ユニットを含み、
前記搬送ユニットは、前記切断位置から前記搬送方向の下流側に離隔して配置され、前記光学フィルムの搬送方向を変更する搬送方向変更ロールを含み、
前記搬送方向変更ロールは、前記光学フィルムの搬送停止時に前記スリットラインが前記搬送方向変更ロール上に位置しないように次の条件式を満たす、ディスプレイユニット製造システム：
＜条件式３、４＞
Ｌ１＞Ｉ＊ｍ
Ｌ２＜Ｉ＊（ｍ＋１）
ここで、Ｉは前記予め定められた搬送長さを示し、ｍは０以上の整数であり、Ｌ１は前記光学フィルム上に前記スリットラインが形成される位置から前記光学フィルムと前記搬送方向変更ロールの接触が始まる位置までの前記光学フィルムの長さを示し、Ｌ２は前記光学フィルム上に前記スリットラインが形成される位置から前記光学フィルムと前記搬送方向変更ロールの接触が終わる位置までの前記光学フィルムの長さを示す。
【請求項４】
前記搬送方向変更ロールは次の条件式を満たす、請求項３に記載のディスプレイユニット製造システム：
＜条件式５、６＞
Ｌ１≧Ｉ＊（ｍ＋０．３）
Ｌ２≦Ｉ＊（ｍ＋０．７）
ここで、Ｉは前記予め定められた搬送長さを示し、ｍは０以上の整数であり、Ｌ１は前記光学フィルム上に前記スリットラインが形成される位置から前記光学フィルムと前記搬送方向変更ロールの接触が始まる位置までの前記光学フィルムの長さを示し、Ｌ２は前記光学フィルム上に前記スリットラインが形成される位置から前記光学フィルムと前記搬送方向変更ロールの接触が終わる位置までの前記光学フィルムの長さを示す。
【請求項５】
偏光フィルムと、粘着層と、前記粘着層に剥離可能に粘着された離型フィルムとが積層された光学フィルムを予め定められた搬送長さだけ繰り返し搬送および停止させる搬送ユニット、
前記光学フィルムを予め定められた切断位置で前記離型フィルムは残して幅方向に沿って切断して、前記光学フィルム上にスリットラインを形成する切断ユニット、
前記偏光フィルムを前記離型フィルムから剥離する剥離ユニット、および
前記離型フィルムから剥離された前記偏光フィルムをパネルに付着する付着ユニットを含み、
前記搬送ユニットは、前記切断位置から前記搬送方向の下流側に離隔して配置され、前記光学フィルムの搬送方向を垂直に変更する搬送方向変更ロール、および前記搬送方向が垂直に変更された光学フィルムを接触支持する垂直ロールを含み、
前記垂直ロールは、前記光学フィルムの搬送停止時に前記スリットラインが前記垂直ロール上に位置しないように次の条件式を満たす、ディスプレイユニット製造システム：
＜条件式７＞
Ｉ＊ｑ−Ｌ２＜Ｖ＜Ｉ＊（ｑ＋１）−Ｌ２
ここで、Ｉは前記予め定められた搬送長さを示し、ｑは０以上の整数であり、Ｌ２は前記光学フィルム上に前記スリットラインが形成される位置から前記光学フィルムと前記搬送方向変更ロールの接触が終わる位置までの前記光学フィルムの長さを示し、Ｖは前記光学フィルムと前記搬送方向変更ロールの接触が終わる位置と前記垂直ロールの回転中心との間の垂直方向距離を示す。
【請求項６】
前記垂直ロールは次の条件式を満たす、請求項５に記載のディスプレイユニット製造システム：
＜条件式８＞
Ｉ＊（ｑ＋０．３）−Ｌ２≦Ｖ≦Ｉ＊（ｑ＋０．７）−Ｌ２
ここで、Ｉは前記予め定められた搬送長さを示し、ｑは０以上の整数であり、Ｌ２は前記光学フィルム上に前記スリットラインが形成される位置から前記光学フィルムと前記搬送方向変更ロールの接触が終わる位置までの前記光学フィルムの長さを示し、Ｖは前記光学フィルムと前記搬送方向変更ロールの接触が終わる位置と前記垂直ロールの回転中心との間の垂直方向距離を示す。
【請求項７】
前記搬送方向変更ロールは前記光学フィルムの搬送方向を垂直に第１方向に変更し、
前記垂直ロールは前記第１方向に沿って搬送される光学フィルムの搬送方向を前記第１方向と反対の第２方向に変更し、次の条件式を満たす、請求項５または６に記載のディスプレイユニット製造システム。
＜条件式９、１０＞
Ｌ３＞Ｉ＊ｒ
Ｌ４＜Ｉ＊（ｒ＋１）
ここで、Ｉは前記予め定められた搬送長さを示し、ｒは０以上の整数であり、Ｌ３は前記光学フィルム上に前記スリットラインが形成される位置から前記光学フィルムと前記垂直ロールの接触が始まる位置までの前記光学フィルムの長さを示し、Ｌ４は前記光学フィルム上に前記スリットラインが形成される位置から前記光学フィルムと前記垂直ロールの接触が終わる位置までの前記光学フィルムの長さを示す。
【請求項８】
前記垂直ロールは次の条件式を満たす、請求項７に記載のディスプレイユニット製造システム。
＜条件式１１、１２＞
Ｌ３≧Ｉ＊（ｒ＋０．３）
Ｌ４≦Ｉ＊（ｒ＋０．７）
ここで、Ｉは前記予め定められた搬送長さを示し、ｒは０以上の整数であり、Ｌ３は前記光学フィルム上に前記スリットラインが形成される位置から前記光学フィルムと前記垂直ロールの接触が始まる位置までの前記光学フィルムの長さを示し、Ｌ４は前記光学フィルム上に前記スリットラインが形成される位置から前記光学フィルムと前記垂直ロールの接触が終わる位置までの前記光学フィルムの長さを示す。
【発明の詳細な説明】
【技術分野】
【０００１】
本発明は、ディスプレイユニット製造システムに関し、より詳しくは、パネルに光学フィルムを付着してディスプレイユニットを製造するディスプレイユニット製造システムに関する。
【背景技術】
【０００２】
ＬＣＤ（Ｌｉｑｕｉｄ  Ｃｒｙｓｔａｌ  Ｄｉｓｐｌａｙ）、ＯＬＥＤ（Ｏｒｇａｎｉｃ  Ｌｉｇｈｔ  Ｅｍｉｔｔｉｎｇ  Ｄｉｏｄｅｓ）、ＰＤＰ（Ｐｌａｓｍａ  Ｄｉｓｐｌａｙ  Ｐａｎｅｌ）、ＥＰＤ（Ｅｌｅｃｔｒｏｐｈｏｒｅｔｉｃ  Ｄｉｓｐｌａｙ）などを含むディスプレイユニットは様々な工程を経て製造される。ディスプレイユニットを製造するために光学フィルムはパネルの一面と他面に付着され、パネルの一面に付着された光学フィルムの吸収軸とパネルの他面に付着された光学フィルムの吸収軸が垂直する場合、パネルが正常に作動するようになる。パネルの一面に光学フィルムを付着する工程は以下のとおりである。
【０００３】
図１は、パネルの一面に光学フィルムを付着する工程の一例を示す図である。
【０００４】
図１を参照すれば、パネルの一面に光学フィルムを付着する工程は、パネルＰの短辺に対応する幅を有した光学フィルムＦを供給する供給ローラＲ１が光学フィルムＦを供給し、供給された光学フィルムＦは搬送ローラＲ２によって光学フィルムＦがパネルＰに付着される付着位置に移動する。光学フィルムＦは、パネルＰに付着される前に、光学フィルムＦ上に離型フィルムＦ１を切断しない所定の深さだけスリットライン（以下、ハーフカット）が形成される。光学フィルムＦが搬送される空間を縮小させるために、光学フィルムＦの搬送方向を変更させる変更ローラＲ３が設けられてもよい。パネルＰは移動ローラＲ４によって付着位置に移動し、光学フィルムＦとパネルＰが付着位置に移動すると、１対の付着ローラＲ５が光学フィルムＦをパネルＰに付着させる。
【０００５】
一方、パネルＰに光学フィルムＦを付着してディスプレイユニットを製造する工程においては、パネルの一面に光学フィルムを付着するために光学フィルムを付着位置に移動させるための光学フィルムの搬送工程と、偏光フィルムシート片を形成するために光学フィルム上にスリットラインを形成する切断工程は必須である。
【０００６】
そして、切断工程のためには光学フィルムの搬送が停止される必要がある。
【０００７】
但し、従来技術によるディスプレイユニット製造工程においては、光学フィルムＦを予め定められた搬送長さだけ搬送し停止する工程を繰り返し行うが、光学フィルムＦの搬送停止時に光学フィルム上に形成されたスリットラインが搬送ローラＲ２または光学フィルムＦの搬送方向を変更させるための変更ローラＲ３上に接触支持される場合があった。
【０００８】
この場合、スリットラインが各ローラＲ２、Ｒ３によって接触支持されることによって、光学フィルムＦ上のスリットラインに集中的なテンションが作用するため、光学フィルム上の偏光フィルムが離型フィルムから剥離される現象、離型フィルムから剥離された偏光フィルムの粘着層に異物が流入する現象または離型フィルムの一部分が裂けたり切れたりする現象などが発生して光学フィルムに変形を誘発するという問題点があった。
【発明の概要】
【発明が解決しようとする課題】
【０００９】
本発明が解決しようとする技術的課題は、ディスプレイユニットの製造時、搬送される光学フィルムの変形を最小化するディスプレイユニット製造システムを提供することにある。
【課題を解決するための手段】
【００１０】
本発明の一実施例に係るディスプレイユニット製造システムは、偏光フィルムと、粘着層と、粘着層に剥離可能に粘着された離型フィルムとが積層された光学フィルムを予め定められた搬送長さだけ繰り返し搬送および停止させる搬送ユニット、光学フィルムを予め定められた切断位置で離型フィルムは残して幅方向に沿って切断して、光学フィルム上にスリットラインを形成する切断ユニット、離型フィルムを偏光フィルムから剥離する剥離ユニット、および離型フィルムが剥離された偏光フィルムをパネルに付着する付着ユニットを含み、搬送ユニットは、切断位置から搬送方向の下流側に離隔して配置され、光学フィルムを水平に搬送する水平ロールを含み、水平ロールは、光学フィルムの搬送停止時にスリットラインが水平ロール上に位置しないように次の条件式を満たすことができる。
【００１１】
＜条件式１＞
Ｉ＊ｎ＜Ｈ＜Ｉ＊（ｎ＋１）
ここで、Ｉは予め定められた搬送長さを示し、ｎは０以上の整数であり、Ｈは水平ロールの回転中心と切断位置との間の水平方向距離を示す。
【００１２】
本発明の一実施例に係る水平ロールは次の条件式を満たすことができる。
【００１３】
＜条件式２＞
Ｉ＊（ｎ＋０．３）≦Ｈ≦Ｉ＊（ｎ＋０．７）
ここで、Ｉは予め定められた搬送長さを示し、ｎは０以上の整数であり、Ｈは水平ロールの回転中心と切断位置との間の水平方向距離を示す。
【００１４】
本発明の他の実施例に係るディスプレイユニット製造システムは、偏光フィルムと、粘着層と、粘着層に剥離可能に粘着された離型フィルムとが積層された光学フィルムを予め定められた搬送長さだけ繰り返し搬送および停止させる搬送ユニット、光学フィルムを予め定められた切断位置で離型フィルムは残して幅方向に沿って切断して、光学フィルム上にスリットラインを形成する切断ユニット、偏光フィルムを離型フィルムから剥離する剥離ユニット、および離型フィルムから剥離された偏光フィルムをパネルに付着する付着ユニットを含み、搬送ユニットは、切断位置から搬送方向の下流側に離隔して配置され、光学フィルムの搬送方向を変更する搬送方向変更ロールを含み、搬送方向変更ロールは、光学フィルムの搬送停止時にスリットラインが搬送方向変更ロール上に位置しないように次の条件式を満たすことができる。
【００１５】
＜条件式３、４＞
Ｌ１＞Ｉ＊ｍ
Ｌ２＜Ｉ＊（ｍ＋１）
ここで、Ｉは予め定められた搬送長さを示し、ｍは０以上の整数であり、Ｌ１は光学フィルム上にスリットラインが形成される位置から光学フィルムと搬送方向変更ロールの接触が始まる位置までの光学フィルムの長さを示し、Ｌ２は光学フィルム上にスリットラインが形成される位置から光学フィルムと搬送方向変更ロールの接触が終わる位置までの光学フィルムの長さを示す。
【００１６】
本発明の一実施例に係る搬送方向変更ロールは次の条件式を満たすことができる。
【００１７】
＜条件式５、６＞
Ｌ１≧Ｉ＊（ｍ＋０．３）
Ｌ２≦Ｉ＊（ｍ＋０．７）
ここで、Ｉは予め定められた搬送長さを示し、ｍは０以上の整数であり、Ｌ１は光学フィルム上にスリットラインが形成される位置から光学フィルムと搬送方向変更ロールの接触が始まる位置までの光学フィルムの長さを示し、Ｌ２は光学フィルム上にスリットラインが形成される位置から光学フィルムと搬送方向変更ロールの接触が終わる位置までの光学フィルムの長さを示す。
【００１８】
本発明のまた他の実施例に係るディスプレイ製造システムは、偏光フィルムと、粘着層と、粘着層に剥離可能に粘着された離型フィルムとが積層された光学フィルムを予め定められた搬送長さだけ繰り返し搬送および停止させる搬送ユニット、光学フィルムを予め定められた切断位置で離型フィルムは残して幅方向に沿って切断して、光学フィルム上にスリットラインを形成する切断ユニット、偏光フィルムを離型フィルムから剥離する剥離ユニット、および離型フィルムから剥離された偏光フィルムをパネルに付着する付着ユニットを含み、搬送ユニットは、切断位置から搬送方向の下流側に離隔して配置され、光学フィルムの搬送方向を垂直に変更する搬送方向変更ロール、および搬送方向が垂直に変更された光学フィルムを接触支持する垂直ロールを含み、垂直ロールは、光学フィルムの搬送停止時にスリットラインが垂直ロール上に位置しないように次の条件式を満たすことができる。
【００１９】
＜条件式７＞
Ｉ＊ｑ−Ｌ２＜Ｖ＜Ｉ＊（ｑ＋１）−Ｌ２
ここで、Ｉは予め定められた搬送長さを示し、ｑは０以上の整数であり、Ｌ２は光学フィルム上にスリットラインが形成される位置から光学フィルムと搬送方向変更ロールの接触が終わる位置までの光学フィルムの長さを示し、Ｖは光学フィルムと搬送方向変更ロールの接触が終わる位置と垂直ロールの回転中心との間の垂直方向距離を示す。
【００２０】
本発明の一実施例に係る垂直ロールは次の条件式を満たすことができる。
【００２１】
＜条件式８＞
Ｉ＊（ｑ＋０．３）−Ｌ２≦Ｖ≦Ｉ＊（ｑ＋０．７）−Ｌ２
ここで、Ｉは予め定められた搬送長さを示し、ｑは０以上の整数であり、Ｌ２は光学フィルム上にスリットラインが形成される位置から光学フィルムと搬送方向変更ロールの接触が終わる位置までの光学フィルムの長さを示し、Ｖは光学フィルムと搬送方向変更ロールの接触が終わる位置と垂直ロールの回転中心との間の垂直方向距離を示す。
【００２２】
本発明の他の実施例に係る搬送方向変更ロールは光学フィルムの搬送方向を垂直に第１方向に変更し、垂直ロールは第１方向に沿って搬送される光学フィルムの搬送方向を第１方向と反対の第２方向に変更し、次の条件式を満たすことができる。
【００２３】
＜条件式９、１０＞
Ｌ３＞Ｉ＊ｒ
Ｌ４＜Ｉ＊（ｒ＋１）
ここで、Ｉは予め定められた搬送長さを示し、ｒは０以上の整数であり、Ｌ３は光学フィルム上にスリットラインが形成される位置から光学フィルムと垂直ロールの接触が始まる位置までの光学フィルムの長さを示し、Ｌ４は光学フィルム上にスリットラインが形成される位置から光学フィルムと垂直ロールの接触が終わる位置までの光学フィルムの長さを示す。
【００２４】
本発明の他の実施例に係る垂直ロールは次の条件式を満たすことができる。
【００２５】
＜条件式１１、１２＞
Ｌ３≧Ｉ＊（ｒ＋０．３）
Ｌ４≦Ｉ＊（ｒ＋０．７）
ここで、Ｉは予め定められた搬送長さを示し、ｒは０以上の整数であり、Ｌ３は光学フィルム上にスリットラインが形成される位置から光学フィルムと垂直ロールの接触が始まる位置までの光学フィルムの長さを示し、Ｌ４は光学フィルム上にスリットラインが形成される位置から光学フィルムと垂直ロールの接触が終わる位置までの光学フィルムの長さを示す。
【発明の効果】
【００２６】
本発明の一実施例によれば、搬送ユニットによってディスプレイユニット製造システムに搬送される光学フィルムの変形を最小化することができる。
【図面の簡単な説明】
【００２７】
【図１】パネルの一面に光学フィルムを付着する工程の一例を示す図である。
【図２】本発明の一実施例に係るディスプレイユニット製造システムを示す図である。
【図３】本発明の一実施例に係る水平ロールの位置関係を説明するための図である。
【図４】本発明の他の実施例に係る搬送方向変更ロールおよび垂直ロールの位置関係を説明するための図である。
【発明を実施するための形態】
【００２８】
以下では添付図面を参照して本発明が属する技術分野で通常の知識を有した者が容易に実施できるように本発明の実施例について詳細に説明する。但し、本発明は、種々の互いに異なる形態に実現できるものであって、ここで説明する実施例に限定されるものではない。そして、図面上、本発明を明確に説明するために説明と関係ない部分は省略し、明細書の全体にかけて、類似した部分に対しては類似した図面符号を付するようにした。
【００２９】
本明細書で用いられる用語については簡略に説明し、本発明については具体的に説明することにする。
【００３０】
本発明で用いられる用語としては本発明における機能を考慮して可能な限り現在広く用いられる一般的な用語を選択したが、これは当分野に務める技術者の意図または判例、新しい技術の出現などにより変わることがある。また、特定の場合、出願人が任意に選定した用語もあり、この場合には該当する発明の説明の部分にその意味を詳細に記載することにする。したがって、本発明で用いられる用語は単純な用語の名称でない、その用語が有する意味と本発明の全般にわたった内容に基づいて定義しなければならない。
【００３１】
明細書の全体にかけて、ある部分がある構成要素を「含む」とする時、これは、特に反対の記載がない限り、他の構成要素を除くものではなく、他の構成要素をさらに含んでもよいことを意味する。
【００３２】
以下では添付図面を参照して本発明について詳細に説明する。
【００３３】
図２は、本発明の一実施例に係るディスプレイユニット製造システムを示す図である。
【００３４】
本発明の一実施例に係るディスプレイユニット製造システム１０００は、偏光フィルムＰＦをパネルＰの長さに対応する長さに切断してパネルＰの両面に付着することによってディスプレイユニットを製造できるシステムである。
【００３５】
ディスプレイユニット製造システム１０００に用いられる偏光フィルムＰＦは、偏光フィルムＰＦに少なくとも一つの他のフィルムが積層された光学フィルムＯＦの形態で用いられることができる。例えば、光学フィルムＯＦは、偏光フィルムＰＦを含み、偏光フィルムＰＦの他に位相差フィルム、視覚補償フィルム、輝度向上フィルムなどの光学的特性を有するフィルムをさらに含むことができる。すなわち、偏光フィルムＰＦの一面または両面に光学的特性を有するフィルムが付着された形態の光学フィルムＯＦが用いられることができる。また、偏光フィルムＰＦおよび光学的特性を有するフィルムには、その表面を保護するための保護用透明フィルムが付着されることができる。保護用透明フィルムとしては、例えば、トリアセチルセルロースフィルム、ポリエチレンフタルレートフィルムなどが用いられることができる。さらに、偏光フィルムＰＦの一面にはパネルＰとの付着時に付着力を提供する粘着層が形成され、粘着層を保護するために離型フィルムＲＦが粘着層に付着されることができる。粘着層は、例えば、アクリル系粘着剤、シリコーン系粘着剤またはウレタン系粘着剤からなり、１０〜５０μｍの厚さを有することができる。離型フィルムＲＦとしては、例えば、ポリエチレンテレフタレート系フィルム、ポリオレフィン系フィルムなどが用いられることができる。
【００３６】
また、ディスプレイユニット製造システムに用いられる光学フィルムＯＦは長さ方向に沿って長く形成されているが、ロール形状に巻き取られた形態で用いられてもよい。
【００３７】
偏光フィルムＰＦが付着されるパネルＰは液晶セルを含み、パネルＰはＶＡタイプ、ＩＰＳタイプなどのタイプに分類できる。
【００３８】
ディスプレイユニット製造システム１０００は、次の例のうち一つとして偏光フィルムＰＦをパネルＰの両面に付着することができる。パネルＰを反転させながらパネルＰの両面に偏光フィルムＰＦを付着する例としては、パネルＰの下側からパネルＰの一面に偏光フィルムＰＦを付着し、パネルＰを反転させた後、パネルＰの下側からパネルＰの他面に偏光フィルムＰＦを付着する方式と、パネルＰの上側からパネルＰの一面に偏光フィルムＰＦを付着し、パネルＰを反転させた後、パネルＰの上側からパネルＰの他面に偏光フィルムＰＦを付着する方式がある。パネルＰを反転させずにパネルＰの両面に偏光フィルムＰＦを付着する例としては、パネルＰの上側からパネルＰの一面に偏光フィルムＰＦを付着し、パネルＰを反転させないまま、パネルＰの下側からパネルＰの他面に偏光フィルムＰＦを付着する方式と、パネルＰの下側からパネルＰの一面に偏光フィルムＰＦを付着し、パネルＰを反転させないまま、パネルＰの上側からパネルＰの他面に偏光フィルムＰＦを付着する方式がある。
【００３９】
このようなディスプレイユニット製造システム１０００は、搬送ユニット１００、切断ユニット２００、剥離ユニット３００、付着ユニット４００および巻取りユニット５００を含むことができる。
【００４０】
搬送ユニット１００は、偏光フィルムＰＦと偏光フィルムＰＦに剥離可能に粘着された離型フィルムＲＦとが積層された光学フィルムＯＦを予め定められた搬送長さＩだけ繰り返し搬送および停止させることができる。ここで、予め定められた搬送長さＩは、偏光フィルムＰＦの付着対象であるパネルＰの長辺または短辺の長さを基に定めることができる。より詳しくは、パネルＰ面の全体領域のうち偏光フィルムＰＦが付着されなければならない領域に定められた付着領域の長辺または短辺の長さを基に定めることができる。以下では、説明の便宜上、付着領域の大きさとパネルＰ面の大きさを同一なものに仮定し、予め定められた搬送長さＩは、パネルＰの長辺または短辺の長さを基に定められるものを基準に説明する。
【００４１】
長く延びている偏光フィルムＰＦは、パネルＰの長さに対応する予め定められた間隔で切断されてシート片に形成される。偏光フィルムＰＦと離型フィルムＲＦが積層された光学フィルムＯＦは、偏光フィルムＰＦが予め定められた間隔で切断されるように予め定められた搬送長さＩだけ搬送されてから停止すれば、所定の切断位置で後述する切断ユニット２００によってスリットラインが形成され、再び予め定められた搬送長さＩだけ搬送されてから停止すれば、所定の切断位置で切断ユニット２００によって次のスリットラインが形成される。予め定められた搬送長さＩは、シート片の長さおよびスリットラインによって連続するシート片が互いに離隔している間隔を合わせた長さが好ましい。スリットラインによって連続する２個のシート片の間には所定の間隔が形成されるため、その間隔を考慮せずに光学フィルムＯＦを搬送すれば、シート片間の長さが一定にならないことがあるためである。
【００４２】
このような搬送ユニット１００は、光学フィルムＯＦを搬送できる様々な移送手段を含むことができる。例えば、搬送ユニット１００は、コンベヤーベルトまたはローラを用いて光学フィルムＯＦを搬送することができる。
【００４３】
切断ユニット２００は、光学フィルムＯＦを予め定められた切断位置で離型フィルムＲＦは残して幅方向に沿って切断して、光学フィルムＯＦ上にスリットラインを形成することができる。すなわち、切断ユニット２００は、離型フィルムＲＦの反対側から離型フィルムＲＦの連続性を維持できる所定の深さだけ幅方向に沿って偏光フィルムＰＦおよび粘着層を切断して、光学フィルムＯＦ上にスリットラインを形成することができる。そして、切断ユニット２００は、パネルＰの長さに対応する間隔で光学フィルムＯＦ上にスリットラインを順次形成することができる。すなわち、切断ユニット２００は、光学フィルムＯＦの搬送停止時に切断を行って光学フィルムＯＦ上にスリットラインを形成し、搬送ユニット１００によって光学フィルムＯＦが予め定められた搬送長さＩだけ搬送される間には切断を停止し、再び光学フィルムＯＦの搬送が停止すると、切断を行って次のスリットラインを形成することによって、２個のスリットラインにより区切られてパネルＰの長さに対応する長さを有する偏光フィルムＰＦシート片を形成することができる。例えば、パネルＰの一面に付着され、パネルＰの短辺の長さに対応する幅を有した光学フィルムＯＦ上にパネルＰの長辺の長さに対応する間隔だけスリットラインを順次形成するか、または、パネルＰの他面に付着され、パネルＰの長辺の長さに対応する幅を有した光学フィルムＯＦ上にパネルＰの短辺の長さに対応する間隔だけスリットラインを順次形成することができる。
【００４４】
このような切断ユニット２００は、光学フィルムＯＦを切断できる様々な切断手段を含むことができる。例えば、切断ユニット２００としては、レーザユニット、カッターなどを用いることができる。
【００４５】
剥離ユニット３００は、偏光フィルムＰＦシート片を離型フィルムＲＦから剥離させることができる。ここで、剥離ユニット３００は、搬送ユニット１００によって搬送される光学フィルムＯＦのうち離型フィルムＲＦを内側にして折り畳めて離型フィルムＲＦから粘着層と共に偏光フィルムＰＦを剥離することができる。このような剥離ユニット３００の先端部にはナイフエッジ部が形成され、ナイフエッジ部の曲率半径は０．３〜５．０ｍｍであってもよい。搬送される光学フィルムＯＦのうち偏光フィルムＰＦの搬送方向は変更されないが、離型フィルムＲＦの搬送方向は剥離ユニット３００の先端部において変更されることによって、離型フィルムＲＦは偏光フィルムＰＦから剥離されることができる。剥離ユニット３００によって剥離された離型フィルムＲＦは、巻取りユニット５００によって巻き取られて回収される。
【００４６】
付着ユニット４００は、離型フィルムＲＦが剥離された偏光フィルムＰＦをパネルＰの一面に付着することができる。このような付着ユニット４００は、１対の付着ロールを含むことができる。１対の付着ロールは上下方向に昇降可能に形成され、少なくとも一つの付着ロールはモータによって回転できる。１対の付着ロールとしては、ゴムローラまたは金属ローラが用いられることができる。
【００４７】
付着ユニット４００に搬送される剥離された偏光フィルムＰＦと、パネルＰを１対の付着ロールの間に位置させ、１対の付着ロールを圧着することによって、偏光フィルムＰＦをパネルＰの一面に付着することができる。偏光フィルムＰＦの付着時に偏光フィルムＰＦとパネルＰとの間に気泡などが発生するのを防止するために、偏光フィルムＰＦとパネルＰの平面性を維持しつつ付着することが好ましい。
【００４８】
図３は、本発明の一実施例に係る水平ロールの位置関係を説明するための図である。
【００４９】
一方、搬送ユニット１００は、切断ユニット２００が光学フィルムＯＦ上にスリットラインを形成する切断位置から光学フィルムＯＦの搬送方向に沿って下流側に離隔して配置され、光学フィルムＯＦを支持して水平に搬送する水平ロール１１０を含むことができる。
【００５０】
水平ロール１１０は、光学フィルムＯＦの上部または下部に位置して、光学フィルムＯＦの偏光フィルムＰＦ側または離型フィルムＲＦ側と線接触して支持できる。
【００５１】
このような水平ロール１１０は複数備えられてもよく、搬送ユニット１００による光学フィルムＯＦの搬送停止時に光学フィルムＯＦに形成されているスリットラインが水平ロール１１０上に位置しないように次の条件式を満たす位置に位置することができる。
【００５２】
＜条件式１＞
Ｉ＊ｎ＜Ｈ＜Ｉ＊（ｎ＋１）
ここで、Ｉは光学フィルムＯＦの予め定められた搬送長さを示し、ｎは０以上の整数であり、Ｈは水平ロール１１０の回転中心Ｃ１と切断位置との間の水平方向距離を示す。
【００５３】
ディスプレイユニットに製造されるパネルＰはその長辺が１２００ｍｍでその短辺が７００ｍｍであり、パネルＰの一面に付着される光学フィルムＯＦはパネルＰの短辺に対応する幅を有するものであり、光学フィルムＯＦ上の偏光フィルムＰＦはパネルＰの長辺と対応する１２００ｍｍの長さを有するシート片に形成される場合を仮定して説明することにする。ここで、スリットラインによって連続するシート片の互いに離隔している間隔は、平均的に２０μｍの長さを有するものに仮定する。
【００５４】
この場合、光学フィルムＯＦの予め定められた搬送長さＩは、シート片の長さを基に１２００ｍｍに定めることができる。より好ましくは、予め定められた搬送長さＩは、シート片の長さおよびスリットラインによって連続するシート片の互いに離隔している間隔の和である１２００．０２ｍｍに定めることができる。説明の便宜上、予め定められた搬送長さＩは、シート片の長さを基に定められた１２００ｍｍに仮定して説明することにする。
【００５５】
水平ロール１１０の位置と関連した一実施例として、水平ロール１１０の回転中心Ｃ１位置を切断位置から２５００ｍｍだけ離隔した位置と隣接配置されるようにしなければならないのであれば、＜条件式１＞によって、ｎは２になり、それにより、水平ロール１１０の位置は、水平ロール１１０の回転中心と切断位置との間の水平方向距離Ｈが２４００ｍｍ（＝１２００＊２ｍｍ）より大きく３６００ｍｍ（＝１２００＊３ｍｍ）より小さくなるように定めることができる。それにより、切断ユニット２００によってスリットラインが形成された光学フィルムＯＦを予め定められた搬送長さだけ繰り返し搬送し停止させても、光学フィルムＯＦのスリットラインは水平ロール１１０上に位置しないことができる。
【００５６】
したがって、本発明に係るディスプレイユニット製造システムによれば、従来技術のように、光学フィルムが停止した状態でスリットラインが搬送方向変更ロール上に接して光学フィルムにテンションが加えられることによって、離型フィルム側と接する場合において偏光フィルムのシート片端部が離型フィルムから剥離される現象、離型フィルムから剥離された偏光フィルムの粘着層に異物が流入する現象、離型フィルムの一部分が裂けたり切れたりする現象、または、偏光フィルム側と接する場合において偏光フィルムのシート片端部が加圧されて偏光フィルムのシート片端部の変形などのような光学フィルムの変形が起こるという問題を防止することができる。
【００５７】
水平ロールは、次の条件式をさらに満たす位置に位置することが好ましい。
【００５８】
＜条件式２＞
Ｉ＊（ｎ＋０．３）≦Ｈ≦Ｉ＊（ｎ＋０．７）
ここで、Ｉは光学フィルムＯＦの予め定められた搬送長さを示し、ｎは０以上の整数であり、Ｈは水平ロール１１０の回転中心Ｃ１と切断位置との間の水平方向距離を示す。
【００５９】
したがって、水平ロール１１０の位置は、＜条件式２＞によって、水平ロール１１０の回転中心と切断位置との間の水平方向距離Ｈが２７６０ｍｍ（＝１２００＊（２＋０．３）ｍｍ）より大きいかまたは等しく、３２４０ｍｍ（＝１２００＊（２＋０．７）ｍｍ）より小さいかまたは等しくなるように定めることができる。それにより、切断ユニット２００によってスリットラインが形成された光学フィルムＯＦを予め定められた搬送長さだけ繰り返し搬送し停止させても、光学フィルムＯＦのスリットラインが水平ロール１１０から十分に離隔して位置することができる。
【００６０】
このような水平ロール１１０の位置は、水平ロール１１０の回転中心Ｃ１と切断位置との間の水平方向距離ＨがＩ＊（ｎ＋０．５）になるようにする時に最も好ましい。すなわち、水平ロール１１０を連続するスリットラインの中間地点に水平ロール１１０と光学フィルムＯＦが接するようにする位置に位置させると、接触地点を基準に両側に位置した１対のスリットラインの各々に影響を与えるテンションを最小化して、光学フィルムの変形が起こるという問題を最小化することができる。
【００６１】
図４は、本発明の他の実施例に係る搬送方向変更ロールおよび垂直ロールの位置関係を説明するための図である。
【００６２】
他の実施例に係るディスプレイ製造システムは、一実施例に係るディスプレイ製造システムと大半の構成および効果が同一であるため、差のある部分を中心に説明することにする。
【００６３】
搬送ユニット１００は、切断ユニット２００が光学フィルムＯＦ上にスリットラインを形成する切断位置から光学フィルムＯＦの搬送方向に沿って下流側に離隔して配置され、光学フィルムＯＦの搬送方向を変更する搬送方向変更ロール１３０を含むことができる。
【００６４】
搬送方向変更ロール１３０は、光学フィルムＯＦの上部または下部に位置し、外周面の一定領域が光学フィルムＯＦ側または離型フィルムＲＦ側と面接触して支持することによって、光学フィルムＯＦの搬送方向を変更させることができる。
【００６５】
このような搬送方向変更ロール１３０は、搬送ユニット１００による光学フィルムＯＦの搬送停止時に光学フィルムＯＦに形成されているスリットラインが搬送方向変更ロール１３０上に位置しないように次の条件式を満たす位置に位置することができる。
【００６６】
＜条件式３＞
Ｌ１＞Ｉ＊ｍ
＜条件式４＞
Ｌ２＜Ｉ＊（ｍ＋１）
ここで、Ｉは光学フィルムＯＦの予め定められた搬送長さを示し、mは０以上の整数であり、Ｌ１は光学フィルムＯＦ上にスリットラインが形成される位置Ｏから光学フィルムＯＦと搬送方向変更ロール１３０の接触が始まる位置Ｓ１までの光学フィルムＯＦの長さを示し、Ｌ２は光学フィルムＯＦ上にスリットラインが形成される位置Ｏから光学フィルムＯＦと搬送方向変更ロール１３０の接触が終わる位置Ｔ１までの光学フィルムＯＦの長さを示す。
【００６７】
ディスプレイユニットに製造されるパネルＰはその長辺が１２００ｍｍでその短辺が７００ｍｍであり、パネルＰの一面に付着される光学フィルムＯＦはパネルＰの短辺に対応する幅を有するものであり、光学フィルムＯＦ上の偏光フィルムＰＦはパネルＰの長辺と対応する１２００ｍｍの長さを有するシート片に形成される場合を仮定して説明することにする。ここで、スリットラインによって連続するシート片の互いに離隔している間隔は、平均的に２０μｍの長さを有するものに仮定する。
【００６８】
この場合、光学フィルムＯＦの予め定められた搬送長さＩは、シート片の長さを基に１２００ｍｍに定めることができる。より好ましくは、予め定められた搬送長さＩは、シート片の長さおよびスリットラインによって連続するシート片の互いに離隔している間隔の和である１２００．０２ｍｍに定めることができる。説明の便宜上、予め定められた搬送長さＩは、シート片の長さを基に定められた１２００ｍｍに仮定して説明することにする。
【００６９】
また、搬送方向変更ロール１３０の位置と関連した一実施例として、搬送方向変更ロール１３０の位置を光学フィルムＯＦの搬送経路に沿って延びている光学フィルムＯＦの長さを基準に光学フィルムＯＦ上にスリットラインが形成される位置Ｏから５０００ｍｍだけ離隔した位置に隣接配置されるようにしなければならない場合を仮定して説明することにする。
【００７０】
搬送方向変更ロール１３０の位置は、＜条件式３＞によって、ｍが４になるため、光学フィルムＯＦ上にスリットラインが形成される位置Ｏから光学フィルムＯＦと搬送方向変更ロール１３０の接触が始まる位置Ｓ１までの光学フィルムＯＦの長さＬ１が４８００ｍｍ（＝１２００＊４ｍｍ）より大きくなるようにすると共に、＜条件式４＞によって、光学フィルムＯＦ上にスリットラインが形成される位置Ｏから光学フィルムＯＦと搬送方向変更ロール１３０の接触が始まる位置Ｔ１までの光学フィルムＯＦの長さＬ２が６０００ｍｍ（＝１２００＊（４＋１）ｍｍ）より小さくなるように定めることができる。
【００７１】
ここで、光学フィルムＯＦ上にスリットラインが形成される位置Ｏから光学フィルムＯＦと搬送方向変更ロール１３０の接触が始まる位置Ｔ１までの光学フィルムＯＦの長さＬ２は、スリットラインが形成される位置Ｏから光学フィルムＯＦと搬送方向変更ロール１３０の接触が始まる位置Ｓ１までの光学フィルムＯＦの長さＬ１および光学フィルムＯＦと搬送方向変更ロール１３０が互いに接触する領域上の光学フィルムＯＦの長さαの和と等しい。（Ｌ２＝Ｌ１＋α）
【００７２】
それにより、切断ユニット２００によってスリットラインが形成された光学フィルムＯＦを予め定められた搬送長さだけ搬送し停止させても、光学フィルムＯＦのスリットラインは、搬送方向変更ロール１３０上に位置しないことができる。
【００７３】
したがって、本発明に係るディスプレイユニット製造システムによれば、従来技術のように、光学フィルムが停止した状態でスリットラインが搬送方向変更ロール上に接して光学フィルムにテンションが加えられることによって、離型フィルム側と接する場合において偏光フィルムのシート片端部が離型フィルムから剥離される現象、離型フィルムから剥離された偏光フィルムの粘着層に異物が流入する現象、離型フィルムの一部分が裂けたり切れたりする現象、または、偏光フィルム側と接する場合において偏光フィルムのシート片端部が加圧されて偏光フィルムのシート片端部の変形などのような光学フィルムの変形が起こるという問題を防止することができる。
【００７４】
搬送方向変更ロールは、次の条件式を満たす位置に位置することが好ましい。
【００７５】
＜条件式５＞
Ｌ１≧Ｉ＊（ｍ＋０．３）
＜条件式６＞
Ｌ２≦Ｉ＊（ｍ＋０．７）
ここで、Ｉは光学フィルムＯＦの予め定められた搬送長さを示し、mは０以上の整数であり、Ｌ１は光学フィルムＯＦ上にスリットラインが形成される位置Ｏから光学フィルムＯＦと搬送方向変更ロール１３０の接触が始まる位置Ｓ１までの光学フィルムＯＦの長さを示し、Ｌ２は光学フィルム上にスリットラインが形成される位置Ｏから光学フィルムＯＦと搬送方向変更ロール１３０の接触が終わる位置Ｔ１までの光学フィルムＯＦの長さを示す。
【００７６】
したがって、搬送方向変更ロール１３０の位置は、＜条件式５＞によって、光学フィルムＯＦ上にスリットラインが形成される位置Ｏから光学フィルムＯＦと搬送方向変更ロール１３０の接触が始まる位置Ｓ１までの光学フィルムＯＦの長さＬ１が５１６０ｍｍ（＝１２００＊（４＋０．３）ｍｍ）より大きいかまたは等しくなるようにすると共に、＜条件式６＞によって、光学フィルムＯＦ上にスリットラインが形成される位置Ｏから光学フィルムＯＦと搬送方向変更ロール１３０の接触が始まる位置Ｔ１までの光学フィルムＯＦの長さＬ２が５６４０ｍｍ（＝１２００＊（４＋０．７）ｍｍ）より小さくなるように定めることができる。
【００７７】
それにより、切断ユニット２００によってスリットラインが形成された光学フィルムＯＦを予め定められた搬送長さだけ繰り返し搬送し停止させても、光学フィルムＯＦのスリットラインが光学フィルムＯＦと搬送方向変更ロール１３０との接触領域から十分に離隔して位置することができる。
【００７８】
一方、搬送方向変更ロール１３０は、光学フィルムの搬送方向を垂直に変更することもできる。この場合、搬送ユニット１００は、搬送方向変更ロール１３０によって搬送方向が垂直に変更された光学フィルムを接触支持する垂直ロール１５０を含むことができる。
【００７９】
垂直ロール１５０は、垂直に搬送される光学フィルムＯＦの左側部または右側部に位置して、光学フィルムＯＦの偏光フィルムＰＦ側または離型フィルムＲＦ側と接触して支持できる。
【００８０】
このような垂直ロール１５０は、光学フィルムＯＦの搬送停止時に光学フィルムＯＦに形成されているスリットラインが水平ロール１１０上に位置しないように次の条件式を満たす位置に位置することができる。
【００８１】
＜条件式７＞
Ｉ＊ｑ−Ｌ２＜Ｖ＜Ｉ＊（ｑ＋１）−Ｌ２
ここで、Ｉは光学フィルムＯＦの予め定められた搬送長さを示し、ｑは０以上の整数であり、Ｌ２は光学フィルムＯＦ上にスリットラインが形成される位置Ｏから光学フィルムＯＦと搬送方向変更ロール１３０の接触が終わる位置Ｔ１までの光学フィルムＯＦの長さを示し、Ｖは光学フィルムＯＦと搬送方向変更ロール１３０の接触が終わる位置Ｔ１と垂直ロール１５０の回転中心Ｃ３との間の垂直方向距離を示す。
【００８２】
ディスプレイユニットに製造されるパネルＰはその長辺が１２００ｍｍでその短辺が７００ｍｍであり、パネルＰの一面に付着される光学フィルムＯＦはパネルＰの短辺に対応する幅を有するものであり、光学フィルムＯＦ上の偏光フィルムＰＦはパネルＰの長辺と対応する１２００ｍｍの長さを有するシート片に形成される場合を仮定して説明することにする。ここで、スリットラインによって連続するシート片の互いに離隔している間隔は、平均的に２０μｍの長さを有するものに仮定する。
【００８３】
この場合、光学フィルムＯＦの予め定められた搬送長さＩは、シート片の長さを基に１２００ｍｍに定めることができる。より好ましくは、予め定められた搬送長さＩは、シート片の長さおよびスリットラインによって連続するシート片の互いに離隔している間隔の和である１２００．０２ｍｍに定めることができる。説明の便宜上、予め定められた搬送長さＩは、シート片の長さを基に定められた１２００ｍｍに仮定して説明することにする。
【００８４】
また、垂直ロール１５０の位置と関連した一実施例として、垂直ロール１５０の回転中心Ｃ５位置を光学フィルムＯＦの搬送経路に沿って延びている光学フィルムＯＦの長さを基準に光学フィルムＯＦ上にスリットラインが形成される位置Ｏから８０００ｍｍだけ離隔した位置に隣接配置されるようにしなければならない場合を仮定して説明することにする。そして、光学フィルムＯＦ上にスリットラインが形成される位置Ｏから光学フィルムＯＦと搬送方向変更ロール１３０の接触が終わる位置Ｔ１までの光学フィルムＯＦの長さＬ２は５５００ｍｍであると仮定する。
【００８５】
垂直ロール１５０の位置は、＜条件式７＞によって、ｑが６になるため、光学フィルムＯＦと搬送方向変更ロール１３０の接触が終わる位置Ｔ１と垂直ロール１５０の回転中心Ｃ５との間の垂直方向距離Ｖが１７００ｍｍ（＝１２００＊６−５５００ｍｍ）より大きく２９００ｍｍ（＝１２００＊（６＋１）−５５００ｍｍ）より小さくなるように定めることができる。
【００８６】
それにより、切断ユニット２００によってスリットラインが形成された光学フィルムＯＦを予め定められた搬送長さだけ搬送し停止させても、光学フィルムＯＦのスリットラインは垂直ロール１５０上に位置しないことができる。
【００８７】
したがって、本発明に係るディスプレイユニット製造システムによれば、従来技術のように、光学フィルムが停止した状態でスリットラインが垂直ロール上に接して光学フィルムにテンションが加えられることによって、離型フィルム側と接する場合において偏光フィルムのシート片端部が離型フィルムから剥離される現象、離型フィルムから剥離された偏光フィルムの粘着層に異物が流入する現象、離型フィルムの一部分が裂けたり切れたりする現象、または、偏光フィルム側と接する場合において偏光フィルムのシート片端部が加圧されて偏光フィルムのシート片端部の変形などのような光学フィルムの変形が起こるという問題を防止することができる。
【００８８】
垂直ロール１５０が搬送される光学フィルムＯＦと線接触する第１例であれば、次の条件式をさらに満たす位置に位置することが好ましい。
【００８９】
＜条件式８＞
Ｉ＊（ｑ＋０．３）−Ｌ２≦Ｖ≦Ｉ＊（ｑ＋０．７）−Ｌ２
ここで、Ｉは光学フィルムＯＦの予め定められた搬送長さを示し、ｑは０以上の整数であり、Ｌ２は光学フィルムＯＦ上にスリットラインが形成される位置Ｏから光学フィルムＯＦと搬送方向変更ロール１３０の接触が終わる位置Ｔ１までの光学フィルムＯＦの長さを示し、Ｖは光学フィルムＯＦと搬送方向変更ロール１３０の接触が終わる位置Ｔ１と垂直ロール１５０の回転中心Ｃ３との間の垂直方向距離を示す。
【００９０】
したがって、垂直ロール１５０の位置は、＜条件式８＞によって、光学フィルムＯＦと搬送方向変更ロール１３０の接触が終わる位置Ｔ１と垂直ロール１５０の回転中心Ｃ５との間の垂直方向距離Ｖが２０６０ｍｍ（＝１２００＊（６＋０．３）−５５００ｍｍ）より大きいかまたは等しく、２５４０ｍｍ（＝１２００＊（６＋０．７）−５５００ｍｍ）より小さくなるように定めることができる。それにより、切断ユニット２００によってスリットラインが形成された光学フィルムＯＦを予め定められた搬送長さだけ繰り返し搬送し停止させても、光学フィルムＯＦのスリットラインが垂直ロール１５０から十分に離隔して位置することができる。
【００９１】
このような垂直ロール１５０の位置は、光学フィルムＯＦと搬送方向変更ロール１３０の接触が終わる位置Ｔ１と垂直ロール１５０の回転中心Ｃ５との間の垂直方向距離ＶがＩ＊（ｑ＋０．５）−Ｌ２になるようにする時に最も好ましい。すなわち、垂直ロール１５０の回転中心Ｃ５を連続するスリットラインの中間地点に垂直ロール１５０と光学フィルムＯＦが接するようにする位置に位置させると、接触地点を基準に両側に位置したスリットライン全てにテンションの影響を最小化して、光学フィルムの変形が起こるという問題を最小化することができる。
【００９２】
一方、搬送方向変更ロール１３０が光学フィルムＯＦの搬送方向を垂直に変更する方向が第１方向であり、図４に示すように、垂直ロール１５０が第１方向に沿って搬送される光学フィルムＯＦと面接触して光学フィルムＯＦの搬送方向を第１方向と反対の第２方向に変更する第２例であれば、垂直ロール１５０は、次の条件式を満たす位置に位置することが好ましい。
【００９３】
＜条件式９＞
Ｌ３＞Ｉ＊ｒ
＜条件式１０＞
Ｌ４＜Ｉ＊（ｒ＋１）
ここで、Ｉは前記予め定められた搬送長さを示し、ｒは０以上の整数であり、Ｌ３は光学フィルムＯＦ上にスリットラインが形成される位置Ｏから光学フィルムＯＦと垂直ロール１５０の接触が始まる位置Ｓ２までの光学フィルムＯＦの長さを示し、Ｌ４は光学フィルムＯＦ上にスリットラインが形成される位置Ｏから光学フィルムＯＦと垂直ロール１５０の接触が終わる位置Ｔ２までの光学フィルムＯＦの長さを示す。
【００９４】
以下では、垂直ロール１５０の位置と関連した第２例として、垂直ロール１５０の回転中心Ｃ５位置を光学フィルムＯＦの搬送経路に沿って延びている光学フィルムＯＦの長さを基準に光学フィルムＯＦ上にスリットラインが形成される位置Ｏから８０００ｍｍだけ離隔した位置に隣接配置されるようにしなければならない場合を基準に説明する。
【００９５】
垂直ロール１５０の位置は、＜条件式９＞によって、ｒが６になるため、光学フィルムＯＦ上にスリットラインが形成される位置Ｏから光学フィルムＯＦと垂直ロール１５０の接触が始まる位置Ｓ２までの光学フィルムＯＦの長さＬ３が７２００ｍｍ（＝１２００＊６ｍｍ）より大きくなるようにすると共に、＜条件式１０＞によって、光学フィルムＯＦ上にスリットラインが形成される位置Ｏから光学フィルムＯＦと垂直ロール１５０の接触が始まる位置Ｔ２までの光学フィルムＯＦの長さＬ４が８４００ｍｍ（（＝１２００＊（６＋１）ｍｍ）より小さくなるように定めることができる。
【００９６】
ここで、スリットラインが形成される位置Ｏから光学フィルムＯＦと垂直ロール１５０の接触が始まる位置Ｓ２までの光学フィルムＯＦの長さＬ３は、スリットラインが形成される位置Ｏから光学フィルムＯＦと搬送方向変更ロール１３０の接触が終わる位置Ｔ１までの光学フィルムＯＦの長さＬ２と、光学フィルムＯＦと搬送方向変更ロール１３０の接触が終わる位置Ｔ１と垂直ロール１５０の回転中心Ｃ５との間の垂直方向距離の和と等しい。
【００９７】
そして、光学フィルムＯＦ上にスリットラインが形成される位置Ｏから光学フィルムＯＦと垂直ロール１５０の接触が始まる位置Ｔ２までの光学フィルムＯＦの長さＬ４は、スリットラインが形成される位置Ｏから光学フィルムＯＦと垂直ロール１５０の接触が始まる位置Ｓ２までの光学フィルムＯＦの長さＬ３と、光学フィルムＯＦと搬送方向変更ロール１３０が互いに接触する領域上の光学フィルムＯＦの長さ、すなわち、垂直ロール１５０の円形断面上の半弧の長さ（π＊Ｒ、ここで、Ｒは垂直ロール１５０の半径）の和と等しい（Ｌ４＝Ｌ３＋π＊Ｒ）。
【００９８】
それにより、切断ユニット２００によってスリットラインが形成された光学フィルムＯＦを予め定められた搬送長さだけ搬送し停止させても、光学フィルムＯＦのスリットラインは垂直ロール１５０上に位置しないことができる。
【００９９】
したがって、本発明に係るディスプレイユニット製造システムによれば、従来技術のように、光学フィルムが停止した状態でスリットラインが光学フィルムの搬送方向を垂直に変更する垂直ロール上に接して光学フィルムにテンションが加えられることによって、離型フィルム側と接する場合において偏光フィルムのシート片端部が離型フィルムから剥離される現象、離型フィルムから剥離された偏光フィルムの粘着層に異物が流入する現象、離型フィルムの一部分が裂けたり切れたりする現象、または、偏光フィルム側と接する場合において偏光フィルムのシート片端部が加圧されて偏光フィルムのシート片端部の変形などのような光学フィルムの変形が起こるという問題を防止することができる。
【０１００】
垂直ロール１５０は、次の条件式を満たす位置に位置することが好ましい。
【０１０１】
＜条件式１１＞
Ｌ３≧Ｉ＊（ｒ＋０．３）
＜条件式１２＞
Ｌ４≦Ｉ＊（ｒ＋０．７）
ここで、Ｉは前記予め定められた搬送長さを示し、ｒは０以上の整数であり、Ｌ３は光学フィルムＯＦ上にスリットラインが形成される位置Ｏから光学フィルムＯＦと垂直ロール１５０の接触が始まる位置Ｓ２までの光学フィルムＯＦの長さを示し、Ｌ４は光学フィルムＯＦ上にスリットラインが形成される位置Ｏから光学フィルムＯＦと垂直ロール１５０の接触が終わる位置Ｔ２までの光学フィルムＯＦの長さを示す。
【０１０２】
したがって、垂直ロール１５０の位置は、＜条件式１１＞によって、光学フィルムＯＦ上にスリットラインが形成される位置Ｏから光学フィルムＯＦと垂直ロール１５０の接触が始まる位置Ｓ２までの光学フィルムＯＦの長さＬ３が７５６０ｍｍ（＝１２００＊（６＋０．３）ｍｍ）より大きいかまたは等しくなるようにすると共に、＜条件式１２＞によって、光学フィルムＯＦ上にスリットラインが形成される位置Ｏから光学フィルムＯＦと垂直ロール１５０の接触が始まる位置Ｔ２までの光学フィルムＯＦの長さＬ４が８０４０ｍｍ（＝１２００＊（６＋０．７）ｍｍ）より小さくなるように定めることができる。
【０１０３】
それにより、切断ユニット２００によってスリットラインが形成された光学フィルムＯＦを予め定められた搬送長さだけ繰り返し搬送し停止させても、光学フィルムＯＦのスリットラインが光学フィルムＯＦと垂直ロール１５０との接触領域から十分に離隔して位置することができる。
【０１０４】
前述した本発明の説明は例示のためのものであり、本発明が属する技術分野の通常の知識を有した者であれば、本発明の技術的思想や必須の特徴を変更せずに他の具体的な形態に容易に変形可能であることを理解することができるだろう。したがって、以上に記述した実施例は、全ての面で例示的なものであって、限定的なものではないことを理解しなければならない。例えば、単一型として説明された各構成要素は分散して実施されてもよく、それと同様に、分散したものとして説明された構成要素も結合した形態で実施されてもよい。
【０１０５】
本発明の範囲は上記の詳細な説明よりは後述する特許請求の範囲によって示され、特許請求の範囲の意味および範囲そしてその均等概念から導き出される全ての変更または変形された形態が本発明の範囲に含まれるものとして解釈しなければならない。
【図１】
2019532327.tif 000003
【図２】
2019532327.tif 000004
【図３】
2019532327.tif 000005
【図４】
2019532327.tif 000006
【国際調査報告】
2019532327.tif 000007
2019532327.tif 000008
2019532327.tif 000009
2019532327.tif 000010
2019532327.tif 000011
2019532327.tif 000012